(57)【要約】      （修正有）【課題】安全かつ操作に便利で、衛生的な、糸収納ケースを提供する。【解決手段】糸収納ケースは、座体２０と、糸軸１０と、カッター３０と、安全カバー４０を含み、座体が底板２１と、底板の辺縁を囲む円形壁部２５を備え、座体の上面に座体側壁２２により囲まれて形成された収納空間２３を備え、糸軸が糸の巻回に用いられ、かつ回動可能に収納空間内に設置され、座体側壁が糸の糸先端部を収納空間から穿出させる糸出口２２１を備え、カッターが座体側壁に設置され、糸の糸先端部の挟持と糸の切断に用いられ、安全カバーが上面４１と、上面の周囲を囲むカバー側壁４２と、開口４４を含み、カバー側壁の外側の底縁近くに突出縁部４３が設けられ、安全カバーが突出縁部により回動可能に座体の円形壁部内側に嵌合され、使用者は安全カバーを回動させることにより糸の糸先端部を露出させるか、または糸とカッターを安全カバーの中に完全に封鎖することができる。【選択図】図１
0003220939.tif 000002
【実用新案登録請求の範囲】
【請求項１】
糸の収納に用いる糸収納ケースであって、座体と、糸軸と、カッターと、安全カバーを含み、該座体が底板と、該底板の辺縁を囲む円形壁部を備え、該座体の上面に該座体側壁により囲まれて形成された収納空間を備え、該糸軸が該糸の巻回に用いられ、かつ回動可能に該収納空間内に設置され、該座体側壁が該糸の糸先端部を該収納空間から穿出させる糸出口を備え、該カッターが本体と、切断刃を備え、該本体を該座体側壁に嵌設することができ、該安全カバーが上面と、該上面の周囲を囲むカバー側壁と、開口を含み、該カバー側壁の外側の底縁近くに突出縁部が設けられ、該安全カバーが該突出縁部により回動可能に該座体の該円形壁部内側に嵌合され、該安全カバーが該座体の該収納空間を覆うことができ、該安全カバーが該座体に対して使用位置と不使用位置まで回動可能であり、該使用位置にあるとき該カッターと該糸先端部を該安全カバーの該開口位置から外部に露出させることができ、該不使用位置にあるとき該カバー側壁が該カッターと該糸先端部を遮蔽することができる、ことを特徴とする、糸収納ケース。
【請求項２】
前記糸軸が管状部材であり、該底板が中央に軸心を備え、該糸軸を同軸で該軸心に被着して、該軸心で回動させることができる、ことを特徴とする、請求項１に記載の糸収納ケース。
【請求項３】
前記切断刃の一端が該本体に連接され、該切断刃の他端が斜め方向に延伸され、該切断刃が該糸の切断に用いることができる鋭利な辺縁を備え、斜め方向に延伸された該切断刃と該本体の表面の間に間隙があり、該間隙を通過する該糸の該糸先端部を挟持するために用いることができる、ことを特徴とする、請求項１に記載の糸収納ケース。
【請求項４】
前記カバー側壁が、封鎖されていない環状の部材で該安全カバーの該開口を形成できることを特徴とする、請求項１に記載の糸収納ケース。
【考案の詳細な説明】
【技術分野】
【０００１】
本考案は糸の容器に関し、特に、デンタルフロスまたはミシン糸の収納に適用し、切断機能を備え、使用しないときは糸先端部を遮蔽でき、安全かつ操作に便利で、衛生的な、糸収納ケースに関する。
【背景技術】
【０００２】
日常生活の中で、例えば（但し次に限らない）デンタルフロス、縫い糸、その他類似の細い糸を使用することがよくあるが、縫い糸は通常糸軸に巻回され、さらに糸軸に糸先端部を挟持するための切り込みが作られ、使用者ははさみやその他同等効果の工具を使用して糸を切断する必要があり、使用上やや不便である。デンタルフロスの場合、一般に市販されているデンタルフロスは通常、デンタルフロスを使用しないとき汚染されないようにケースの中に収納されている。既知のデンタルフロスには直接包装ケース／容器を利用してデンタルフロスを収納し、汚染を防止しているものがあり、例えば台湾の実用新案公告第３３５６８２号の「デンタルフロスケース」がその１つである。また、既知のデンタルフロス製品には包装ケース/容器に外部に露出したカッターが設置されたものもあり、例えば台湾の実用新案公告第２１１１２８号の「デンタルフロス容器」は、容器外部にカッター座部が設置されているが、該カッター座部が常態下で外部に露出された状態であり、使用者が誤ってけがをする可能性がある。さらに、台湾の実用新案公告第３８５６９６号の「デンタルフロスケース」は、開閉可能な蓋を備え、使用しないとき糸先端部とカッターを遮蔽することができるものであり、また台湾の実用新案公告Ｍ２９０７３９号「球型デンタルフロスケース」も類似の機能のデンタルフロスケースを開示しており、これら二者の蓋はいずれも片側が固定された開閉式である。
【先行技術文献】
【特許文献】
【０００３】
【特許文献１】台湾実用新案公告第３３５６８２号明細書
【特許文献２】台湾実用新案公告第２１１１２８号明細書
【特許文献３】台湾実用新案公告第３８５６９６号明細書
【特許文献４】台湾実用新案公告Ｍ２９０７３９号明細書
【考案の概要】
【考案が解決しようとする課題】
【０００４】
本考案の目的は、糸の収納に用い、切断機能と、使用しないとき糸先端部を遮蔽する機能を備え、安全かつ操作に便利で、衛生的な、糸収納ケースを提供することにある。
【課題を解決するための手段】
【０００５】
上述の技術的問題を解決するため、本考案の糸収納ケースの一実施例の構造は、該糸収納ケースが、座体と、糸軸と、カッターと、安全カバーを含み、該座体が底板と、該底板の辺縁を囲む円形壁部を備え、該座体の上面に該座体側壁により囲まれて形成された収納空間を備え、該糸軸が糸の巻回に用いられ、かつ回動可能に該収納空間内に設置され、該座体側壁が該糸の糸先端部を該収納空間から穿出させる糸出口を備え、該カッターが本体と、切断刃を備え、該本体を該座体側壁に嵌設することができ、該安全カバーが上面と、該上面の周囲を囲むカバー側壁と、開口を含み、該カバー側壁の外側の底縁近くに突出縁部が設けられ、該安全カバーが該突出縁部により回動可能に該座体の該円形壁部内側に嵌合され、該安全カバーが該座体の該収納空間を覆うことができ、該安全カバーが該座体に対して使用位置と不使用位置まで回動可能であり、該使用位置にあるとき該カッターと該糸先端部を該安全カバーの該開口位置から外部に露出させることができ、該不使用位置にあるとき該カバー側壁が該カッターと該糸先端部を遮蔽することができる。
【０００６】
本考案の糸収納ケースの好ましい構造において、該糸軸は管状部材であり、該底板が中央に軸心を備え、該糸軸を同軸で該軸心に被着して、該軸心で回動させることができる。
【０００７】
本考案の糸収納ケースの好ましい構造において、該切断刃は一端が該カッターの本体に連接され、他端が斜め方向に延伸され、該切断刃が糸の切断に用いることができる鋭利な辺縁を備えており、斜め方向に延伸された該切断刃と該本体の表面の間に間隙があり、該間隙を通過する糸の該糸先端部を挟持するために用いることができる。
【０００８】
本考案の糸収納ケースの好ましい構造において、該カバー側壁は封鎖されていない環状の部材であり、該安全カバーの該開口を形成することができる。
【０００９】
以下で図面を組み合わせて説明する内容は本考案の上述の技術内容、実施例、技術的特徴およびその効果を実現するための最良の実施形態であり、本考案を限定するものではない。
【図面の簡単な説明】
【００１０】
【図１】本考案の糸収納ケースの一実施例の構造を示す立体分解図である。
【図２】図１の実施例の構造を示す別の立体分解図であり、そのうち、糸が巻回された糸軸が座体の収納空間に設置され、カッターが座体側壁に嵌設されている。
【図３】本考案の糸収納ケースの構造を示す立体外観図であり、安全カバーが不使用位置まで回動された状態を示す。
【図４】図３の平面図であり、安全カバーが不使用位置まで回動された状態を示す。
【図５】本考案の糸収納ケースの平面構造図であり、安全カバーが使用位置まで回動された状態を示す。
【図６】図５の構造の俯瞰図である。
【図７】図５のＡ−Ａ位置の構造断面図である。
【考案を実施するための形態】
【００１１】
以下の実施するための形態において述べる上下左右を含む位置関係は、特別に記載がなければ、いずれも図面において示される方向に準じる。
【００１２】
まず、図１と図２の本考案の糸収納ケースの一実施例の構造を示す立体分解図を参照する。本考案の糸収納ケースは糸の収納に適しており、該糸は、例えばデンタルフロス、ミシン糸、その他類似の細い糸を含み、またこれらに限らない。以下ではデンタルフロスを例として、本考案の糸収納ケースの実施形態を説明する。
【００１３】
図１と図２に示すように、本考案の糸収納ケースの一実施例の構造は、糸軸１０と、座体２０と、カッター３０と、安全カバー４０を含む。
【００１４】
そのうち、糸軸１０は管状部材であり、糸５０（例えばデンタルフロス）が糸軸１０の外側に巻回される。座体２０は底板２１と、底板２１の辺縁を囲む円形壁部２５を備え、底板２１の上面２１０に座体側壁２２により囲まれて形成された収納空間２３を備え、座体側壁２２は本考案の図１に示す一実施例においては連続した環状の側壁であり、好ましい遮蔽または密閉の効果を備えている。本考案のその他実施例において、座体側壁２２は連続していない環状の側壁としてもよいが、本考案の技術分野を熟知している者であれば説明を通じて理解し、実施することが可能であるため、図面に表示していない。底板２１は中央に軸心２４を備え、糸軸１０を同軸で軸心２４に被着して、軸心２４で回動させることができる。座体側壁２２は糸５０の糸先端部５１を収納空間２３から穿出させる糸出口２２１を備え、本考案の図１に示す一実施例において、糸出口２２１は座体側壁２２の頂部から下へ延伸された切り込みであり、本考案のその他実施例において、糸出口２２１は切欠口または穿孔のいずれかとすることもできるが、本考案の技術分野を熟知している者であれば説明を通じて理解し、実施することが可能であるため、図面に表示していない。
【００１５】
カッター３０は座体２０の座体側壁２２に設置され、カッター３０は金属片で成る部材であり、本体３１と、切断刃３２を含み、本体３１は座体側壁２２に嵌設することができ、切断刃３２は本考案の図１に示す一実施例においてはプレス方式で本体３１に形成された金属薄片であり、切断刃３２の一端が本体３１に連接され、切断刃３２の他端が斜め方向に延伸される。切断刃３２は糸５０の切断に用いることができる鋭利な辺縁を備えており、斜め方向に延伸された切断刃３２と本体３１の表面の間には間隙があり、間隙を通る糸５０の糸先端部５１を挟持するために用いることができ、糸先端部５１を挟んで保持する機能を備えている。本考案の一実施例において、カッター３０の本体３１は折り曲げられたＵ字形の構造とし、座体側壁２２を挟持する、または座体側壁２２に嵌設することができる。
【００１６】
安全カバー４０は上面４１と、上面４１の周囲を囲むカバー側壁４２と、開口４４を備え、カバー側壁４２は封鎖されていない環状の部材で該開口４４を形成することができ、カバー側壁４２の外側の底縁近くに突出縁部４３が設けられ、安全カバー４０が突出縁部４３により回動可能に座体２０の円形壁部２５の内側に嵌合される（図７参照）。カバー側壁４２は本考案の図１に示す実施例において連続した側壁であり、好ましい遮蔽または密閉の効果を備えている。本考案のその他の実施例において、カバー側壁４２は上面４１の周囲を囲む連続していない側壁としてもよい（例えば環状に排列された複数の側壁で構成される）が、本考案の技術分野を熟知している者であれば説明を通じて理解し、実施することが可能であるため、図面に表示していない。
【００１７】
安全カバー４０は座体２０に対して使用位置（図５参照）と不使用位置（図３と図４参照）まで回動可能であり、使用位置（図５と図６参照）にあるとき、カッター３０と糸先端部５１が安全カバー４０の開口４４の位置から外部に露出され、使用者が糸５０を取ることができ、不使用位置（図３と図４参照）にあるとき、安全カバー４０の開口４４はカッター３０と糸先端部５１の位置を離れ、カバー側壁４２がカッター３０と糸先端部５１を遮蔽し、カッター３０が外部に露出されることによる危険を回避すると同時に、糸５０の糸先端部５１が外部に露出されて誤操作により引き出されることを防止する。特に、該糸５０がデンタルフロスまたはその他汚染を避けるべき糸である場合、安全カバー４０を利用してその糸先端部５１を遮蔽することで、さらに衛生面の効果が得られる。
【００１８】
本考案についてすでに上述の実施例を通じて開示したが、上述の説明は本考案を限定するために用いるものではなく、当業者であれば本考案の要旨と範囲を逸脱することなく幾許かの変更と修飾が可能であろう。このため、本考案の請求の範囲は本明細書に添付された請求項の定義に準じる。
【符号の説明】
【００１９】
１０    糸軸
２０    座体
２１    底板
２１０   上面
２２    座体側壁
２２１    糸出口
２３    収納空間
２４    軸心
２５    円形壁部
３０    カッター
３１    本体
３２    切断刃
４０    安全カバー
４１    上面
４２    カバー側壁
４３    突出縁部
４４    開口
５０    糸
５１    糸先端部
【図１】
0003220939.tif 000003
【図２】
0003220939.tif 000004
【図３】
0003220939.tif 000005
【図４】
0003220939.tif 000006
【図５】
0003220939.tif 000007
【図６】
0003220939.tif 000008
【図７】
0003220939.tif 000009